(57)【要約】【課題】無線通信システムにおいてアップリンク制御チャネル上でスケジューリング要求を送信する方法を提供する。【解決手段】アップリンク送信のための無線資源の要求に使用するスケジューリング要求を送信する方法は、二つの連続するスロットで構成されるサブフレームでスケジューリング要求の送信のためのアップリンク制御チャネルを構成し、一つのスロットは、複数個のＳＣ-ＦＤＭＡ（single carrier-frequency division multiple access）シンボルを含み、前記スケジューリング要求は、前記アップリンク制御チャネルが送信されるか否かにより送信されるステップと、前記アップリンク制御チャネル上で前記スケジューリング要求を送信するステップとを含む。【選択図】図１６
2010525728.tif 000002
【特許請求の範囲】
【請求項１】
無線通信システムにおいてアップリンク送信のための無線資源の要求に使用するスケジューリング要求を送信する方法であって、
二つの連続するスロットで構成されるサブフレームでスケジューリング要求の送信のためのアップリンク制御チャネルを構成するステップであって、一つのスロットは、複数個のＳＣ-ＦＤＭＡシンボルを含み、前記スケジューリング要求は、前記アップリンク制御チャネルが送信されるか否かにより送信されるステップと、
前記アップリンク制御チャネル上で前記スケジューリング要求を送信するステップと、を含み、
前記アップリンク制御チャネルを構成するステップは、
前記一つのスロット内の前記複数個のＳＣ-ＦＤＭＡシンボルを第１集合と第２集合とに分けるステップと、
基本シーケンスの循環シフトにより生成される第１周波数領域シーケンスの各々を前記第１集合内の各ＳＣ-ＦＤＭＡシンボルにマッピングするステップと、
前記基本シーケンスの循環シフトにより生成される第２周波数領域シーケンスの各々を前記第２集合内の各ＳＣ-ＦＤＭＡシンボルにマッピングするステップと、
前記第１集合内の前記第１周波数領域シーケンスを前記第１集合内のＳＣ-ＦＤＭＡシンボルの数と同じ長さを有する第１直交シーケンスで拡散するステップと、
前記第２集合内の前記第２周波数領域シーケンスを前記第２集合内のＳＣ-ＦＤＭＡシンボルの数と同じ長さを有する第２直交シーケンスで拡散するステップと、
を含むことを特徴とする方法。
【請求項２】
前記第１直交シーケンスと前記第２直交シーケンスは、時間領域シーケンスであり、該時間領域シーケンスの要素は、ＳＣ-ＦＤＭＡシンボルに対応する時間領域シーケンスであることを特徴とする請求項１に記載の方法。
【請求項３】
前記サブフレーム内の前記二つの連続するスロットは、異なる副搬送波を使用することを特徴とする請求項１に記載の方法。
【請求項４】
前記第１周波数領域シーケンスの長さと前記第２周波数領域シーケンスの長さは、一つのＳＣ-ＦＤＭＡシンボルに割り当てられる副搬送波の数と同じであることを特徴とする請求項１に記載の方法。
【請求項５】
前記第１集合内のＳＣ-ＦＤＭＡシンボルの数は、前記第２集合内のＳＣ-ＦＤＭＡシンボルの数より大きいことを特徴とする請求項１に記載の方法。
【請求項６】
前記一つのスロット内のＳＣ-ＦＤＭＡシンボルの数は７であり、前記第１集合内のＳＣ-ＦＤＭＡシンボルの数は４であり、前記第２集合内のＳＣ-ＦＤＭＡシンボルの数は３であることを特徴とする請求項５に記載の方法。
【請求項７】
前記第２集合内のＳＣ-ＦＤＭＡシンボルは、連続していることを特徴とする請求項５に記載の方法。
【請求項８】
無線通信システムにおいてアップリンク送信のための無線資源の要求に使用するスケジューリング要求を送信する方法であって、
複数個のＳＣ-ＦＤＭＡシンボルでスケジューリング要求の送信のためのアップリンク制御チャネルを構成するステップであって、前記スケジューリング要求は、前記アップリンク制御チャネルが送信されるか否かにより送信されるステップと、
前記アップリンク制御チャネル上で前記スケジューリング要求を送信するステップと、を含み、
前記アップリンク制御チャネルを構成するステップは、
前記複数個のＳＣ-ＦＤＭＡシンボルを第１集合と第２集合とに分けるステップと、
基本シーケンスの循環シフトにより生成される第１周波数領域シーケンスの各々を前記第１集合内の各ＳＣ-ＦＤＭＡシンボルにマッピングするステップと、
前記基本シーケンスの循環シフトにより生成される第２周波数領域シーケンスの各々を前記第２集合内の各ＳＣ-ＦＤＭＡシンボルにマッピングするステップと、
前記第１集合内の前記第１周波数領域シーケンスを前記第１集合内のＳＣ-ＦＤＭＡシンボルの数と同じ長さを有する第１直交シーケンスで拡散するステップと、
前記第２集合内の前記第２周波数領域シーケンスを前記第２集合内のＳＣ-ＦＤＭＡシンボルの数と同じ長さを有する第２直交シーケンスで拡散するステップと、
を含むことを特徴とする方法。
【請求項９】
前記第１周波数領域シーケンスの長さと前記第２周波数領域シーケンスの長さは、一つのＳＣ-ＦＤＭＡシンボルに割り当てられる副搬送波の数と同じであることを特徴とする請求項８に記載の方法。
【請求項１０】
前記第１集合内のＳＣ-ＦＤＭＡシンボルの数は、前記第２集合内のＳＣ-ＦＤＭＡシンボルの数より大きいことを特徴とする請求項８に記載の方法。
【請求項１１】
前記第１集合内のＳＣ-ＦＤＭＡシンボルの数は４であり、前記第２集合内のＳＣ-ＦＤＭＡシンボルの数は３であることを特徴とする請求項１０に記載の方法。
【請求項１２】
前記第２集合内のＳＣ-ＦＤＭＡシンボルは、連続していることを特徴とする請求項１０に記載の方法。
【発明の詳細な説明】
【技術分野】
【０００１】
本発明は、無線通信に関し、より詳しくは、無線通信システムにおいてアップリンク制御チャネル上でスケジューリング要求を送信する方法に関する。
【背景技術】
【０００２】
ＷＣＤＭＡ（Wideband Code Division Multiple Access：広帯域符号分割多元接続）無線接続技術に基づく３ＧＰＰ（3rd Generation Partnership Project：第３世代移動通信システム標準化プロジェクト）移動通信システムは、全世界で広範囲に展開している。ＷＣＤＭＡの初期発展段階と定義することができるＨＳＤＰＡ（High Speed Downlink Packet Access：高速下り回線パケットアクセス）は、中期的（mid-term）将来高い競争力を有する無線接続技術を３ＧＰＰに提供する。しかしながら、ユーザと事業者の要求事項と期待が持続的に増加し、無線接続技術の開発競争が進行し続けているので、今後競争力を有するためには３ＧＰＰにおける新しい技術的革新が要求される。
【０００３】
３世代以後のシステムで考慮されているシステムのうちの一つが、低い複雑度でシンボル間干渉（inter-symbol interference）効果を減少させることができる直交周波数分割多重（Orthogonal Frequency Division Multiplexing；ＯＦＤＭ）システムである。ＯＦＤＭは、直列に入力されるデータをＮ個の並列データに変換して、Ｎ個の直交副搬送波（subcarrier）に載せて送信する。副搬送波は周波数次元で直交性を維持する。直交周波数分割多重接続（Orthogonal Frequency Division Multiple Access；ＯＦＤＭＡ）とは、ＯＦＤＭを変調方式として使用するシステムにおいて、利用可能な副搬送波の一部を各ユーザに独立して提供して多重接続を実現する多重接続方式をいう。
【０００４】
ＯＦＤＭ／ＯＦＤＭＡシステムの主な問題点のうちの一つは、ＰＡＰＲ（Peak-to-Average Power Ratio：ピーク電力と平均電力の比）が相当大きいということである。ＰＡＰＲ問題は、送信（Ｔｘ）信号の最大振幅（peak amplitude）が平均振幅より相当大きく現れることであって、ＯＦＤＭシンボルが、相違する副搬送波上でＮ個の正弦波信号（sinusoidal signal）を重畳するという事実に起因する。ＰＡＰＲは、特にバッテリの容量と関連するため、消費電力が重視される端末（ＵＥ）で問題となる。消費電力を減少させるためにはＰＡＰＲを低くすることが必要である。
【０００５】
ＰＡＰＲを低くするために提案されているシステムのうちの一つが、単一搬送波周波数分割多重接続（Single Carrier-Frequency Division Multiple Access；ＳＣ-ＦＤＭＡ）である。ＳＣ-ＦＤＭＡは、ＳＣ-ＦＤＥ（Single Carrier-Frequency Division Equalization：単一搬送波周波数領域等化）方式にＦＤＭＡ（Frequency Division Multiple Access：周波数分割多重接続）を組み合わせた形態である。ＳＣ-ＦＤＭＡは、離散フーリエ変換（Discrete Fourier Transform；ＤＦＴ）を用いてデータを時間領域及び周波数領域で変調及び復調するという点からＯＦＤＭＡと類似の特性を有するが、送信信号のＰＡＰＲが低くて送信電力節減に有利である。特に、バッテリの使用と関連して送信電力が重視される端末から基地局へ通信するアップリンク送信において有利であるといえる。
【０００６】
端末が基地局にデータを送信するとき、重要な点は、送信するデータの帯域幅はたとえ小さくても、パワーが集中できる広いカバレッジ（coverage）である。ＳＣ-ＦＤＭＡシステムは、信号の変化量を小さくし、同じ電力増幅器（power amplifier）を使用したとき、他のシステムより広いカバレッジを有する。
【０００７】
高速パケット送信のための多様な送信または受信技法を具現するためには、時間、空間及び周波数領域に対する制御信号送信が必要不可欠な要素である。制御信号を送信するチャネルを制御チャネルという。アップリンク制御信号には、ダウンリンクデータ送信に対する応答であるＡＣＫ（Acknowledgement：受信確認応答）／ＮＡＣＫ（Negative-Acknowledgement：受信否定応答）信号、ダウンリンクチャネル品質を示すＣＱＩ（Channel Quality Indicator：チャネル品質インジケータ）、ＰＭＩ（Precoding Matrix Index：プリコード化マトリックスインデックス）、ＲＩ（Rank Indicator：ランクインジケータ）等、多様な種類がある。
【０００８】
制御信号の一つとして、スケジューリング要求（scheduling request）がある。スケジューリング要求は、端末がアップリンク無線資源の割当を基地局に要求するときに使用して、アップリンクデータ送信のための事前情報交換の一種である。端末は、まずスケジューリング要求を送信してアップリンク無線資源の割当を受けた後、基地局にアップリンクデータを送信する。アイドルモード（idle mode）で、端末は、既存のランダムアクセス処理を介してアップリンク無線資源の割当を要求できる。しかしながら、接続モード（connected mode）で、端末がアップリンク無線資源の割当要求を既存ランダムアクセスを介して遂行すると、サービス遅延を招くことがある。ランダムアクセスは、コンテンションベース（contention based）の処理であるため、アップリンク無線資源の割当が遅れることがあるからである。従って、接続モードでは、制御チャネルを介してスケジューリング要求を送信することによって、さらに効率的で信頼性があり、且つ迅速な資源割当が可能になる。
【０００９】
スケジューリング要求をアップリンク制御チャネル上で送信するためには、他の制御信号のための制御チャネルとの互換性を考慮しなければならない。また、スケジューリング要求が送信できる制御チャネルの容量も考慮しなければならない。
【００１０】
したがって、スケジューリング要求を送信するための効率的な制御チャネルの構造が必要である。
【発明の概要】
【発明が解決しようとする課題】
【００１１】
本発明が解決しようとする技術的課題は、無線通信システムにおいてアップリンク制御チャネル上でアップリンク送信のための無線資源を要求する方法を提供することである。
【００１２】
本発明が解決しようとする他の技術的課題は、無線通信システムにおいてアップリンク制御チャネル上でアップリンク送信のための無線資源の要求に使われるスケジューリング要求を送信する方法を提供することである。
【課題を解決するための手段】
【００１３】
一態様では、無線通信システムにおいて、アップリンク送信のための無線資源の要求に使用するスケジューリング要求を送信する方法を提供する。前記方法は、二つの連続するスロットで構成されるサブフレームでスケジューリング要求の送信のためのアップリンク制御チャネルを構成するステップであって、一つのスロットは、複数個のＳＣ-ＦＤＭＡシンボルを含み、前記スケジューリング要求は、前記アップリンク制御チャネルが送信されるか否かにより送信されるステップと、前記アップリンク制御チャネル上で前記スケジューリング要求を送信するステップと、を含む。前記アップリンク制御チャネルを構成するステップは、前記一つのスロット内の前記複数個のＳＣ-ＦＤＭＡシンボルを第１集合と第２集合とに分けるステップと、基本シーケンスの循環シフトにより生成される第１周波数領域シーケンスの各々を前記第１集合内の各ＳＣ-ＦＤＭＡシンボルにマッピングするステップと、前記基本シーケンスの循環シフトにより生成される第２周波数領域シーケンスの各々を前記第２集合内の各ＳＣ-ＦＤＭＡシンボルにマッピングするステップと、前記第１集合内の前記第１周波数領域シーケンスを前記第１集合内のＳＣ-ＦＤＭＡシンボルの数と同じ長さを有する第１直交シーケンスで拡散するステップと、及び前記第２集合内の前記第２周波数領域シーケンスを前記第２集合内のＳＣ-ＦＤＭＡシンボルの数と同じ長さを有する第２直交シーケンスで拡散するステップと、を含む。
【００１４】
前記サブフレーム内の二つの連続するスロットは、異なる副搬送波を使用する。前記第１周波数領域シーケンスの長さと前記第２周波数領域シーケンスの長さは、一つのＳＣ-ＦＤＭＡシンボルに割り当てられる副搬送波の数と同じである。
【００１５】
他の態様において、無線通信システムにおいて、アップリンク送信のための無線資源の要求に使用するスケジューリング要求を送信する方法を提供する。前記方法は、複数個のＳＣ-ＦＤＭＡシンボルでスケジューリング要求の送信のためのアップリンク制御チャネルを構成するステップであって、前記スケジューリング要求は、前記アップリンク制御チャネルが送信されるか否かにより送信されるステップと、前記アップリンク制御チャネル上で前記スケジューリング要求を送信するステップとを含む。前記アップリンク制御チャネルを構成するステップは、前記複数個のＳＣ-ＦＤＭＡシンボルを第１集合と第２集合とに分けるステップと、基本シーケンスの循環シフトにより生成される第１周波数領域シーケンスの各々を前記第１集合内の各ＳＣ-ＦＤＭＡシンボルにマッピングするステップと、前記基本シーケンスの循環シフトにより生成される第２周波数領域シーケンスの各々を前記第２集合内の各ＳＣ-ＦＤＭＡシンボルにマッピングするステップと、前記第１集合内の前記第１周波数領域シーケンスを前記第１集合内のＳＣ-ＦＤＭＡシンボルの数と同じ長さを有する第１直交シーケンスで拡散するステップと、前記第２集合内の前記第２周波数領域シーケンスを前記第２集合内のＳＣ-ＦＤＭＡシンボルの数と同じ長さを有する第２直交シーケンスで拡散するステップとを含む。
【発明の効果】
【００１６】
他の制御信号を送信する制御チャネルと干渉せずにスケジューリング要求が送信できて、制御チャネルを效率的に活用することができる。
【図面の簡単な説明】
【００１７】
【図１】無線通信システムを示したブロック図である。
【図２】本発明の一実施例に係る送信器を示したブロック図である。
【図３】無線フレーム構造の一例を示す図である。
【図４】サブフレームの一例を示す図である。
【図５】２次元拡散を適用した制御チャネルの構造の一例を示す図である。
【図６】２次元拡散を適用した制御チャネルの構造の他の例を示す図である。
【図７】ＡＣＫ／ＮＡＣＫチャネルの構造を示す図である。
【図８】ＡＣＫ／ＮＡＣＫチャネル上でスケジューリング要求を送信する構造の一例を示す図である。
【図９】ＡＣＫ／ＮＡＣＫチャネル上でスケジューリング要求を送信する構造の他の例を示す図である。
【図１０】ＡＣＫ／ＮＡＣＫチャネル上でスケジューリング要求を送信する構造の他の例を示す図である。
【図１１】ＡＣＫ／ＮＡＣＫチャネル上でスケジューリング要求を送信する構造の他の例を示す図である。
【図１２】ＡＣＫ／ＮＡＣＫチャネル上でスケジューリング要求を送信する構造の他の例を示す図である。
【図１３】ＡＣＫ／ＮＡＣＫチャネル上でスケジューリング要求を送信する構造の他の例を示す図である。
【図１４】ＡＣＫ／ＮＡＣＫチャネル上でスケジューリング要求を送信する構造の他の例を示す図である。
【図１５】ＣＱＩチャネルの構造を示す図である。
【図１６】スケジューリング要求チャネルの一例を示す図である。
【図１７】スケジューリング要求チャネルの一例を示す図である。
【図１８】スケジューリング要求チャネルに対する資源割当の例を示す図である。
【図１９】スケジューリング要求チャネルに対する資源割当の他の例を示す図である。
【図２０】スケジューリング要求チャネルに対する資源割当の他の例を示す図である。
【発明を実施するための形態】
【００１８】
図１は、無線通信システムを示したブロック図である。無線通信システムは、音声、パケットデータなどのような多様な通信サービスを提供するために広く配置される。
【００１９】
図１を参照すると、無線通信システムは、端末（１０；User Equipment、ＵＥ）及び基地局（２０；Base Station、ＢＳ）を含む。端末（１０）は、固定されてもよく、或いは移動可能でもよく、ＭＳ（Mobile Station：移動局）、ＵＴ（User Terminal：ユーザ端末）、ＳＳ（Subscriber Station：加入局）、無線機器（wireless device）等、他の用語で呼ばれることもある。基地局（２０）は、一般的に端末（１０）と通信する固定局（fixed station）をいい、ノードＢ（Node-B）、ＢＴＳ（Base Transceiver System：基地局）、アクセスポイント（Access Point）等、他の用語で呼ばれることもある。一つの基地局（２０）には一つ以上のセルが存在する。
【００２０】
以下、ダウンリンク（downlink）は、基地局（２０）から端末（１０）への通信を意味し、アップリンク（uplink）は、端末（１０）から基地局（２０）への通信を意味する。ダウンリンクにおいて、送信器は基地局（２０）の一部分であり、受信機は端末（１０）の一部分である。アップリンクにおいて、送信器は端末（１０）の一部分であり、受信機は基地局（２０）の一部分である。
【００２１】
図２は、本発明の一実施例に係る送信器を示したブロック図である。
【００２２】
図２を参照すると、送信器（１００）は、ＤＦＴ（Discrete Fourier Transform：離散フーリエ変換）を遂行するＤＦＴ部（１１０）とＩＦＦＴ（Inverse Fast Fourier Transform：逆高速フーリエ変換）を遂行するＩＦＦＴ部（１２０）とを含む。ＤＦＴ部（１１０）は、入力されるデータにＤＦＴを遂行して周波数領域シンボルを出力する。ＤＦＴ部（１１０）に入力されるデータは、制御信号及び／またはユーザデータであってもよい。ＩＦＦＴ部（１２０）は、入力されるシンボルに対してＩＦＦＴを遂行して送信信号を出力する。送信信号は時間領域信号になる。ＩＦＦＴ部（１２０）を介して出力される時間領域シンボルをＯＦＤＭシンボルともいい、またはＤＦＴの拡散後、ＩＦＦＴを適用する点から、ＳＣ-ＦＤＭＡシンボルともいう。ＩＦＦＴ部（１２０）の前の段階でＤＦＴを遂行してシンボルを拡散する方式をＳＣ-ＦＤＭＡといい、この方式はＯＦＤＭに比べてＰＡＰＲを低くするのに有利である。
【００２３】
図３は、無線フレーム構造の一例を示す。
【００２４】
図３を参照すると、無線フレーム（radio frame）は１０個のサブフレーム（subframe）で構成され、一つのサブフレームは２個の連続する（consecutive）スロット（slot）を含んでもよい。一つのスロットは、時間領域で複数のＯＦＤＭシンボルと、周波数領域で少なくとも一つの副搬送波を含んでもよい。スロットは時間領域で無線資源を割り当てるための単位といえる。例えば、一つのスロットは７または６個のＯＦＤＭシンボルを含んでもよい。
【００２５】
無線フレームの構造は例示に過ぎず、無線フレームに含まれるサブフレームの数、またはサブフレームに含まれるスロットの数、スロットに含まれるＯＦＤＭシンボルの数は多様に変更してもよい。
【００２６】
図４は、サブフレームの一例を示す。このサブフレームはアップリンクサブフレームでありうる。
【００２７】
図４を参照すると、サブフレームは制御領域とデータ領域との二つの部分に分けられる。制御領域とデータ領域とが、相違する周波数バンドを使用するため、ＦＤＭ（Frequency Division Multiplexing:周波数分割多重）されている。制御領域は、制御チャネルが割り当てられる領域であり、データ領域は、データチャネルが割り当てられる領域である。制御チャネルとして、一つのサブフレーム内の各スロット当たり一つの資源ブロックを使用することができる。資源ブロックは、複数の副搬送波を含む。制御チャネルは、制御信号を送信するチャネルであり、データチャネルは、制御信号及び／またはユーザデータを送信するチャネルである。制御チャネルは、ＰＵＣＣＨ（Physical uplink control channel：物理アップリンク制御チャネル）といい、データチャネルは、ＰＵＳＣＨ（Physical uplink shared channel：物理アップリンク共有チャネル）という。制御信号には、ＡＣＫ／ＮＡＣＫ信号、ＣＱＩ、ＰＭＩ、ＲＩ、スケジューリング要求等、多様な種類がある。
【００２８】
制御チャネル上で制御信号だけが送信され、データチャネル上でユーザデータと制御信号が共に送信されてもよい。単一副搬送波特性上、一つの端末は制御チャネルとデータチャネルを同時に送信できない。
【００２９】
制御チャネルは、サブフレーム上でスロット単位に周波数ホッピング（frequency hopping）できる。制御チャネルは、サブフレーム上でスロットごとに相違する副搬送波を使用する。制御チャネルを相違する周波数バンドに割り当てられるスロットを介して送信することによって周波数ダイバーシティ利得を得ることができる。一つのサブフレームが、第１スロット及び第２スロットからなるとすると、第１スロットは再び周波数領域で第１領域と第２領域とに分けられ、第２スロットも周波数領域で第１領域と第２領域とに分けられる。一つのサブフレーム内で第１スロットの第１領域と第２スロットの第２領域を介して制御信号が送信される。
【００３０】
以下、アップリンク制御チャネルの構造に対して記述する。
【００３１】
アップリンク制御チャネルには、周波数拡散（frequency spreading）と時間領域カバーリング（time-domain covering）の２次元拡散とを適用することができる。また、コヒーレント検出（coherent detection）のために基準信号（reference signal）が定義されてもよい。
【００３２】
説明を明確にするために、以下、一つのスロットは７個のＳＣ-ＦＤＭＡシンボルで構成され、二つのスロットを含む一つのサブフレームは合計１４個のＳＣ-ＦＤＭＡシンボルを含むとする。一つのサブフレームに含まれるＳＣ-ＦＤＭＡシンボルの数、または一つのスロットに含まれるＳＣ-ＦＤＭＡシンボルの数は例示に過ぎず、本発明の技術的思想はこれに限定されるものではない。
【００３３】
図５は、２次元拡散を適用した制御チャネルの構造の一例を示す。
【００３４】
図５を参照すると、｛ｓ０,ｓ１,...,ｓ１３｝は、各ＳＣ-ＦＤＭＡシンボルに対応する制御信号のシーケンスを示し、｛ｘ０,ｘ１,...,ｘ１３｝は、各ＳＣ-ＦＤＭＡシンボルに対応する時間領域シーケンス（time domain sequence）である。時間領域拡散のための時間領域シーケンスは、ウォルシュ（Walsh）符号のようなよく知られた直交シーケンスを使用することができる。｛ｃ０,ｃ１,...,ｃ１１｝は、周波数領域拡散のための周波数領域シーケンスである。時間領域シーケンスは、その要素（element）がＳＣ-ＦＤＭＡシンボルに対応するシーケンスであり、周波数領域シーケンスは、その要素が副搬送波に対応するシーケンスである。
【００３５】
周波数領域シーケンスとして、ＣＡＺＡＣ（Constant Amplitude Zero Auto-Correlation：定振幅ゼロ自己相関）シーケンスのうちの一つであるＺＣ（Zadoff-Chu）シーケンスを使用することができる。長さがＮであるＺＣシーケンスｃ（ｋ）の生成式は、次の通りである。
【００３６】
【数１】
2010525728.tif 000003
【００３７】
ここで、０≦ｋ≦Ｎ−１であり、Ｍはルートインデックス（root index）であって、Ｎと互いに素（relatively prime）であるＮ以下の自然数である。これはＮが決まると、ルートインデックスの数は使用可能なＺＣシーケンスの個数であることを意味する。相違する循環シフト（cyclic shift）値を有するＺＣシーケンスは互いに直交する。従って、一つのルートインデックスから生成されたＺＣシーケンスによって、循環シフトを介して多数の直交シーケンスを得ることができる。
【００３８】
ＺＣシーケンスは、例示に過ぎず、相関特性が良好なその他のシーケンスを周波数領域シーケンスとして使用することができる。
【００３９】
周波数領域シーケンスには、ＳＣ-ＦＤＭＡシンボルごとに循環シフトホッピング（cyclic shift hopping）を適用することができる。即ち、図５は、ＳＣ-ＦＤＭＡシンボルごとに同じ周波数領域シーケンスを介して拡散することを示しているが、ＳＣ-ＦＤＭＡシンボルごとに相違する循環シフトを有する周波数領域シーケンスを介して拡散することができる。これを循環シフトホッピングという。循環シフトホッピングを遂行する場合、特定の循環シフト値における高い相関度に起因して制御チャネルの特性が急激に悪化することを防止することができる。
【００４０】
図６は、２次元拡散を適用した制御チャネルの構造の他の例を示す。
【００４１】
図６を参照すると、図５の例とは違って、制御信号のシーケンス｛ｓ０,ｓ１,...,ｓ１３｝を周波数領域で拡散する。
【００４２】
以下、スケジューリング要求を送信するためのスケジューリング要求チャネルを生成する方法について記述する。
【００４３】
スケジューリング要求は、端末がアップリンク無線資源の割当を基地局に要求するのに使用され、アップリンクデータ交換のための事前情報交換の一種である。端末が基地局にアップリンクデータを送信するためには、まずスケジューリング要求を介してアップリンク無線資源を要求することが必要である。端末がアップリンク制御チャネル上でスケジューリング要求を送信すると、基地局は、割り当てられたアップリンク無線資源をダウンリンク制御チャネル上で端末に送信する。スケジューリング要求を送信するアップリンク制御チャネルをスケジューリング要求チャネルという。
【００４４】
スケジューリング要求チャネルを生成するための方法の例として、ＡＣＫ／ＮＡＣＫチャネルやＣＱＩチャネルのような各種制御信号を送信するチャネルにスケジューリング要求を予約する方法と、スケジューリング要求のための専用チャネル（dedicated channel）を割り当てる方法がある。前者は、異なる制御チャネルと同時に生成され、異なる制御信号と互換性が維持されることが必要である。異なる制御信号と同じ時間-周波数資源を共有するが、異なるシーケンスを使用することによってスケジューリング要求を識別する。後者は、スケジューリング要求を送信するための新しい時間-周波数資源を割り当てる方式である。
【００４５】
まず、以下ではＡＣＫ／ＮＡＣＫチャネル及びＣＱＩチャネルを用いてスケジューリング要求信号を送信する方法について記述する。しかしながら、本発明の技術的思想は、ＡＣＫ／ＮＡＣＫチャネルまたはＣＱＩチャネルに限定されず、第１制御信号（例えば、ＡＣＫ／ＮＡＣＫ信号、ＣＱＩ等）を送信する制御チャネルで第２制御信号（例えば、スケジューリング要求）を送信できるというように、制御チャネルを構成する構造に広く適用されてもよい。
【００４６】
図７は、ＡＣＫ／ＮＡＣＫチャネルの構造を示す。ＡＣＫ／ＮＡＣＫチャネルは、ＡＣＫ／ＮＡＣＫ信号が送信される制御チャネルである。ＡＣＫ／ＮＡＣＫ信号は、ＨＡＲＱ（Hybrid Automatic Repeat Request：高速ハイブリッド自動再送）のためのダウンリンクデータに対する受信確認信号である。予め割り当てられる帯域内で制御信号を送信するとき、多重化可能な端末の数または制御チャネルの数を増やすために周波数領域拡散と時間領域拡散を同時に適用する。
【００４７】
図７を参照すると、一つのスロットに含まれる７個のＳＣ-ＦＤＭＡシンボルのうち中間部分の３個のＳＣ-ＦＤＭＡシンボルによって基準信号（reference signal、RS）が送信され、残りの４個のＳＣ-ＦＤＭＡシンボルによってＡＣＫ／ＮＡＣＫ信号が送信される。基準信号は、スロット中間の３個の隣接する（consecutive）ＳＣ-ＦＤＭＡシンボルに載せられる。このとき、基準信号に使われるシンボルの個数及び位置は変えてもよく、これと関連するＡＣＫ／ＮＡＣＫ信号に使われるシンボルの個数及び位置もそれに従って変更してもよい。
【００４８】
ＡＣＫ／ＮＡＣＫ信号を周波数領域で拡散するために周波数領域シーケンスを使用する。周波数領域シーケンスとしては、前述したＺＣシーケンスを使用することができる。相違する循環シフト値を有するＺＣシーケンスを適用して各ＡＣＫ／ＮＡＣＫチャネルを識別することができる。チャネルの遅延拡散（delay spread）に従って使用可能な循環シフトの数は変わる。
【００４９】
周波数領域で拡散されたＡＣＫ／ＮＡＣＫ信号は、ＩＦＦＴを遂行した後、再び時間領域シーケンス（または直交シーケンス）を用いて時間領域で拡散される。ＡＣＫ／ＮＡＣＫ信号は、４個のＳＣ-ＦＤＭＡシンボルに対して長さ４の時間領域拡散符号（ｗ０,ｗ１,ｗ２,ｗ３）を用いて拡散される。また、基準信号に対しても長さ３の直交シーケンスを介して拡散することができる。
【００５０】
周波数領域拡散を遂行した後、時間領域拡散を遂行することは例示に過ぎず、周波数領域拡散と時間領域拡散の順序は制限がない。時間領域拡散を先にして周波数領域拡散を遂行してもよく、一つの結合された形態のシーケンスを用いて、周波数領域拡散と時間領域拡散とを同時に処理してもよい。
【００５１】
図８は、ＡＣＫ／ＮＡＣＫチャネル上でスケジューリング要求を送信する構造の一例を示す。これはＡＣＫ／ＮＡＣＫチャネル構造に少なくとも一つの循環シフトをスケジューリング要求のために予約した場合である。
【００５２】
図８を参照すると、ＡＣＫ／ＮＡＣＫチャネルにおいて、ＺＣシーケンスは、循環シフトを用いることによって互いの直交性（orthogonality）を維持し、これらのうちの少なくとも一つの循環シフトをスケジューリング要求の送信のために予約する。
【００５３】
例えば、合計で６個の循環シフトが可能であれば、一つの循環シフトをスケジューリング要求の送信に使用する。可能な循環シフトの数は変わることがあり、スケジューリング要求の送信のために２個以上の循環シフトを予約してもよい。
【００５４】
ＡＣＫ／ＮＡＣＫチャネルで特定の循環シフトをスケジューリング要求の送信に使用する場合、ＡＣＫ／ＮＡＣＫ信号はスケジューリング要求の送信に使われない循環シフトを使用して送信する。
【００５５】
スケジューリング要求のために予約された循環シフトを使用する場合、時間領域で各ＳＣ-ＦＤＭＡシンボルに時間領域カバーリングを適用することができる。このとき、コヒーレント検出（coherent detection）のため、各循環シフト当たり行われる時間領域拡散の回数は、ｍｉｎ（ＡＣＫ／ＮＡＣＫ信号のＳＣ-ＦＤＭＡシンボルの数、基準信号のＳＣ-ＦＤＭＡシンボルの数）により左右される。コヒーレント検出では、定義された基準信号に従って、送信信号、即ち、ＡＣＫ／ＮＡＣＫ信号の配置（constellation）を識別する。ＡＣＫ／ＮＡＣＫ信号のＳＣ-ＦＤＭＡシンボルの数は４、基準信号のＳＣ-ＦＤＭＡシンボルの数は３であるため、コヒーレント検出のためには最大３回の時間領域拡散が可能である。従って、コヒーレント検出において、ＡＣＫ／ＮＡＣＫチャネルに対して一つの循環シフトをスケジューリング要求信号として使用すると、スロット当たり最大３個のスケジューリング要求チャネルを送信できる。
【００５６】
一つのセルで使用可能なＺＣシーケンスのルートインデックスを一つとしているが、ルートインデックスの数が増加すると、さらに多くの端末がスケジューリング要求を送信できる。
【００５７】
スケジューリング要求チャネルのための循環シフトでは、循環シフトホッピングを適用してもよい。循環シフトホッピングがＳＣ-ＦＤＭＡシンボルごとに適用される場合、ホッピングパターンを予め予約して使用することができる。
【００５８】
ここでは、ＡＣＫ／ＮＡＣＫチャネルで周波数領域拡散符号としてＺＣシーケンスを使用するとき、循環シフトを用いてスケジューリング要求チャネルを定義している。しかしながら、周波数領域シーケンスとして他のシーケンスを使用する場合、該当するシーケンス集合のうちの一部を予約する、或いはシーケンスのホッピングパターンを予約する方式によりスケジューリング要求チャネルを定義することもできる。
【００５９】
図９は、ＡＣＫ／ＮＡＣＫチャネル上でスケジューリング要求を送信する構造の他の例を示す。これは基準信号を使用する場合と基準信号を使用しない場合の両方をサポートする方式である。
【００６０】
図９を参照すると、各循環シフト当たり行われる時間領域拡散の回数は、ＡＣＫ／ＮＡＣＫ信号のＳＣ-ＦＤＭＡシンボルの数及び基準信号のＳＣ-ＦＤＭＡシンボルの数のうちの大きい数によって定義される。制御信号の時間領域拡散の回数と基準信号の時間領域拡散の回数が異なる場合、これらのうちの少ない回数をコヒーレント検出のため使用し、残りは非コヒーレント検出のため使用する。
【００６１】
制御信号のＳＣ-ＦＤＭＡシンボルの数は４、基準信号のＳＣ-ＦＤＭＡシンボルの数は３とすると、制御信号に４個の時間領域拡散符号があり、基準信号に３個の時間領域拡散符号がある。非コヒーレント検出を仮定すると、４個の時間領域シーケンスを拡散符号として使用することができる。これらのうち、３個は非コヒーレント検出により送信され、残りの一つはコヒーレント検出により送信されてもよい。
【００６２】
図１０は、ＡＣＫ／ＮＡＣＫチャネル上でスケジューリング要求を送信する構造の他の例を示す。これは非コヒーレント検出に対する場合である。
【００６３】
図１０を参照すると、非コヒーレント検出で基準信号を送信する必要がないため、使用可能なＳＣ-ＦＤＭＡシンボル全ての数に該当するシーケンスを時間領域拡散に使用することができる。一スロット当たりＳＣ-ＦＤＭＡシンボルの数が７であるとき、時間領域シーケンスの長さは７になり、直交する総時間領域シーケンスの個数も７になる。
【００６４】
図１１は、ＡＣＫ／ＮＡＣＫチャネル上でスケジューリング要求を送信する構造の他の例を示す。これはＡＣＫ／ＮＡＣＫチャネルにおいて時間領域シーケンスを予約してスケジューリングチャネルとして活用する。
【００６５】
図１１を参照すると、時間領域シーケンスのうちの少なくとも一つをスケジューリング要求を送信するためのスケジューリング要求チャネルとして予約する。長さ７の時間領域シーケンスをスケジューリング要求チャネルとして使用する。制御信号に対する時間領域シーケンスや基準信号に対する時間領域シーケンスのうち、使われない残りの部分をスケジューリング要求の送信に使用することができる。
【００６６】
周波数領域シーケンスとしては、ＡＣＫ／ＮＡＣＫ信号など制御信号と同じ周波数領域シーケンスを使用することができ、他の特定シーケンスをスケジューリング要求専用に使用することもできる。
【００６７】
ＡＣＫ／ＮＡＣＫ信号とスケジューリング要求は、分割された時間領域シーケンスを介して識別することができる。即ち、ＡＣＫ／ＮＡＣＫ信号送信のために割り当てられた周波数領域シーケンスをスケジューリング要求にも使用して、スケジューリング要求とＡＣＫ／ＮＡＣＫ信号は時間領域シーケンスを介して識別する。または、同じ時間領域シーケンスをＡＣＫ／ＮＡＣＫ信号とスケジューリング要求に使用する場合、ＡＣＫ／ＮＡＣＫ信号とスケジューリング要求に、相違する周波数領域シーケンスを割り当てることによって、ＡＣＫ／ＮＡＣＫ信号とスケジューリング要求を識別することができる。
【００６８】
例えば、コヒーレント検出をサポートする場合、３個の基準信号に対して最大３個の時間領域シーケンスがある。３個の時間領域拡散符号のうちの少なくとも一つをスケジューリング要求チャネルに割り当てる。また、スケジューリング要求チャネルに割り当てられた基準信号の時間領域シーケンスと関連する制御信号の時間領域シーケンスを、他のスケジューリング要求チャネルに割り当てることができる。このスケジューリング要求チャネルはコヒーレント検出をサポートする。
【００６９】
図１２は、ＡＣＫ／ＮＡＣＫチャネル上でスケジューリング要求を送信する構造の他の例を示す。これはＡＣＫ／ＮＡＣＫチャネルのため時間領域シーケンスを予約し、長さ３の時間領域シーケンスと長さ４の時間領域シーケンスの両方とも使用する場合である。
【００７０】
図１２を参照すると、ＡＣＫ／ＮＡＣＫチャネルで、基準信号領域における長さ３の時間領域シーケンスとデータ領域（ＡＣＫ／ＮＡＣＫ信号部分）における長さ４の時間領域シーケンスを各々拡散させて、スケジューリング要求チャネルを構成する。
【００７１】
図１３は、ＡＣＫ／ＮＡＣＫチャネル上でスケジューリング要求を送信する構造の他の例を示す。これはＡＣＫ／ＮＡＣＫチャネルのため時間領域シーケンスを予約し、長さ３の時間領域シーケンスと長さ４の時間領域シーケンスを別々に使用する場合である。
【００７２】
図１３を参照すると、ＡＣＫ／ＮＡＣＫチャネルにおいて、基準信号領域における長さ３の時間領域シーケンスをスケジューリング要求チャネルとして使用し、データ領域（ＡＣＫ／ＮＡＣＫ信号部分）における長さ４の時間領域シーケンスをスケジューリング要求チャネルとして使用する。二つの時間領域シーケンスをスケジューリング要求チャネルとして使用して、最大７個のスケジューリング要求チャネルを構成することができる。図１２の実施例に比べて、端末容量（UE capability）が増加する。
【００７３】
また、時間領域で長さ３の時間領域シーケンスと長さ４の時間領域シーケンスを同時に使用する図１２の実施例と、長さ３の時間領域シーケンスと長さ４の時間領域シーケンスを別々に使用する図１３の実施例を組み合わせて使用することができる。
【００７４】
図１４は、ＡＣＫ／ＮＡＣＫチャネル上でスケジューリング要求を送信する構造の他の例を示す。ＡＣＫ／ＮＡＣＫチャネルに時間領域シーケンスを予約してスケジューリングチャネルとして活用し、非コヒーレント検出方式である。
【００７５】
図１４を参照すると、非コヒーレント検出をサポートする場合、４個のＳＣ-ＦＤＭＡシンボルに対応する長さ４の時間領域シーケンスのうちの少なくとも一つをスケジューリング要求チャネルに割り当てる。また、残りの基準信号部分の時間領域シーケンスは、他のスケジューリング要求チャネルに割り当てることができる。即ち、制御信号の時間領域シーケンスと基準信号の時間領域シーケンスを識別して、非コヒーレント検出をサポートするスケジューリング要求チャネルに割り当てる。コヒーレント検出方式をサポートする場合、制御信号の時間領域拡散符号と基準信号の時間領域拡散符号は、対にして同時に送信しなければならない。
【００７６】
図１５は、ＣＱＩチャネルの構造を示す。ＣＱＩチャネルはＣＱＩが送信される制御チャネルである。ＣＱＩ送信では、充分なシンボル空間（symbol space）を確保するために時間領域拡散を使用しない。
【００７７】
図１５を参照すると、一つのスロットに含まれる７個のＳＣ-ＦＤＭＡシンボルのうちのＳＣ-ＦＤＭＡシンボル３個分だけ離れた２個のＳＣ-ＦＤＭＡシンボルには基準信号が載せられ、残りの５個のＳＣ-ＦＤＭＡシンボルにはＣＱＩが載せられる。提示された値は例示に過ぎず、基準信号に使われるＳＣ-ＦＤＭＡシンボルの個数や位置、ＣＱＩに使われるシンボルの個数や位置は変更されてもよい。１個のＳＣ-ＦＤＭＡシンボルに対してＱＰＳＫ（Quadrature Phase Shift Keying：４相位相）マッピングを使用する場合、２ビットのＣＱＩ値が載せられるため、一つのスロットに１０ビットのＣＱＩ値を載せることができる。１サブフレームに対しては最大２０ビットのＣＱＩ値を載せることができる。ＣＱＩに使われる変調方式は、ＱＰＳＫ以外にも他の変調方式、例えば１６-ＱＡＭ（Quadrature Amplitude Modulation：直交振幅変調）などを適用してもよい。
【００７８】
ＣＱＩを周波数領域で拡散するために周波数領域シーケンスを使用する。周波数領域シーケンスとしてはＺＣシーケンスを使用することができる。ＡＣＫ／ＮＡＣＫチャネルで２次元拡散を適用する場合と異なり、ＣＱＩチャネルは１次元拡散だけを適用して、ＣＱＩの送信容量を増やす。ここでは周波数領域拡散だけを例えて記述しているが、ＣＱＩチャネルに時間領域拡散を適用することができる。
【００７９】
ＣＱＩチャネルでは、循環シフトを予約してスケジューリング要求チャネルに割り当てることができる。これは基準信号用ＳＣ-ＦＤＭＡシンボルの数が異なることを除いて、ＡＣＫ／ＮＡＣＫチャネルの例と同じである。ＣＱＩチャネルは、ＡＣＫ／ＮＡＣＫチャネルと違って、より少数のＳＣ-ＦＤＭＡシンボルが基準信号に割り当てられる場合が多い。周波数軸におけるシーケンスの識別だけでユーザが識別されるため、時間軸における拡散が必要ないからである。従って、最小１個のＳＣ-ＦＤＭＡシンボルだけでも基準信号の役割を果たすことができる。ドップラ効果が高い場合、２個程度のＳＣ-ＦＤＭＡシンボルを基準信号に割り当てることができるが、時間領域拡散を適用することは難しい。
【００８０】
しかしながら、スケジューリング要求チャネルを定義するために、時間領域シーケンスを定義することができる。コヒーレント検出をサポートする場合は、ＡＣＫ／ＮＡＣＫチャネル構造と同様に、３個程度のＳＣ-ＦＤＭＡシンボルを基準信号に割り当て、制御信号部分と基準信号部分を識別して送信することができる。非コヒーレント検出をサポートする場合には時間領域拡散符号を、一つのスロットの長さを全て含む長いシーケンスを用いて定義することができる。この場合もＡＣＫ／ＮＡＣＫチャネルと同様に、ＺＣシーケンスの循環シフトのような互いに直交するシーケンス集合（相互間の交差相関（cross-correlation）の小さい集合）を定義して時間領域拡散符号として使用することができる。
【００８１】
前記ではＡＣＫ／ＮＡＣＫチャネルまたはＣＱＩチャネルの構造と互換性を有するようにスケジューリング要求チャネルを構成しているが、新しい時間-周波数資源を予約してスケジューリング要求チャネルを構成することができる。専用のスケジューリング要求チャネルを構成する場合、基準信号を必要としない非コヒーレント検出を使用することができる。スケジューリング要求は、その有／無だけでも識別が可能であるため、スケジューリング要求チャネルが送信されるか否かによってスケジューリング要求を送信することができるからである。例えば、スケジューリング要求チャネルを送信すると、スケジューリング要求の送信とみなされる。または、スケジューリング要求チャネルが存在／するか否かによってスケジューリング要求の有／無を切り替えることができる。
【００８２】
図１６は、スケジューリング要求チャネルの一例を示す。
【００８３】
図１６を参照すると、スケジューリング要求チャネルを、他の制御チャネルと別個に生成する場合は、その設計が残りの制御チャネルと関係がないため、任意の構造を選択することができる。また、既存制御チャネルと互換になるようにスケジューリング要求チャネルを構成する場合とは違って、制御チャネルを全て使用することができるため、スケジューリング要求チャネルのための端末の容量が増加する。
【００８４】
ここではＡＣＫ／ＮＡＣＫチャネルと類似の方式で、周波数領域と時間領域の２次元拡散を適用して、スケジューリング要求チャネルを構成する。即ち、スロットを二つの部分に分けて、第１部分に対しては第１時間領域拡散を遂行して、第２部分に対しては第２時間領域拡散を遂行する。即ち、一つのスロットに関して、既存のＡＣＫ／ＮＡＣＫチャネルのデータ部分に該当する４個のＳＣ-ＦＤＭＡシンボル（第１集合）に対して第１周波数領域シーケンスを各ＳＣ-ＦＤＭＡシンボルにマッピングする。このとき、第１周波数領域シーケンスは、第１集合に属する各ＳＣ-ＦＤＭＡシンボルごとに同じ循環シフトを有してもよく、または相違する循環シフトを有してもよい。第１周波数領域シーケンスを再び第１直交シーケンス、即ち、時間領域シーケンスを介して拡散する。また、一つのスロットに対して既存ＡＣＫ／ＮＡＣＫチャネルの基準信号に該当する３個のＳＣ-ＦＤＭＡシンボル（第２集合）に対して第２周波数領域シーケンスを各ＳＣ-ＦＤＭＡシンボルにマッピングする。このとき、第２周波数領域シーケンスは、第２集合に属する各ＳＣ-ＦＤＭＡシンボルごとに同じ循環シフトを有してもよく、または相違する循環シフトを有してもよい。第２周波数領域シーケンスを再び第２直交シーケンス、即ち、時間領域シーケンスを介して拡散する。
【００８５】
周波数領域拡散または時間領域拡散において、ＳＣ-ＦＤＭＡシンボルごとに、或いはスロットごとに相違するシーケンスを使用することができる。即ち、周波数領域シーケンスの循環シフトは、各ＳＣ-ＦＤＭＡシンボル及び／またはスロットごとに変わってもよい。独立したスケジューリング要求チャネルを使用する方式、または異なる制御チャネルと共有する方式は混用することができ、スケジューリング要求チャネルの構成と関連する事項は、基地局がブロードキャストチャネルなどを介して端末に知らせることができる。また、スケジューリング要求チャネルのための資源を実際端末にマッピングする方式は、端末の接続ＩＤ（Identifier）の範囲を定めて順にスケジューリング要求チャネルのための資源と１：１マッピングになるように構成することができる。また、スケジューリング要求チャネルは、ＴＴＩ（transmission time interval：送信時間間隔）ごとに生成可能であるが、スケジューリング要求チャネルで使用可能な無線資源の量に従って生成される周期を調節することによって無線資源の浪費を縮めることができる。
【００８６】
図１７は、スケジューリング要求チャネルの一例を示す。これは非コヒーレント検出をサポートする場合である。
【００８７】
図１７を参照すると、非コヒーレント検出をサポートする場合には、一つのスロットに該当する長さ７の時間領域シーケンスを介して時間領域で拡散する。
【００８８】
図１８は、スケジューリング要求チャネルに対する資源割当の例である。制御領域の最も外側にスケジューリング要求チャネルのための無線資源を割り当てる。図１９は、スケジューリング要求チャネルに対する資源割当の他の例である。制御領域とデータ領域との間にスケジューリング要求チャネルのための無線資源を割り当てる。スケジューリング要求チャネルは、データ領域に割り当てられてもよく、スケジューリング要求チャネルは、制御領域またはデータ領域のいずれに割り当てられてもよい。
【００８９】
図２０は、スケジューリング要求チャネルに対する資源割当の他の例である。
【００９０】
図２０を参照すると、スケジューリング要求チャネルを少なくとも一つのＳＣ-ＦＤＭＡシンボルに割り当てる。資源ブロック（resource block、RB）は、複数の副搬送波を含む周波数領域資源の割当単位である。スケジューリング要求チャネルは、アップリンク無線資源スケジューリングのためのサウンディング信号（sounding signal）と同様に、全帯域にわたって送信されてもよい。スケジューリング要求チャネルは、サウンディング信号と交互に送信されてもよく、同時に送信されてもよい。
【００９１】
スケジューリング要求チャネルは、資源ブロック単位で資源を割り当て、各資源ブロックに使われるシーケンスとして、制御チャネルで使われるＺＣシーケンスと循環シフトの組合せを用いることができる。この場合、Ｎ個の循環シフト×Ｘ個の資源ブロックに該当するスケジューリング要求チャネルを構成することができる。
【００９２】
一つのＳＣ-ＦＤＭＡシンボルをスケジューリング要求チャネル用として使用する。細部スケジューリング要求チャネルは、１個の資源ブロックで構成し、端末の識別は、使われているシーケンスと使われている資源ブロックの位置により行うことができる。
【００９３】
全ての資源ブロックをスケジューリング要求チャネルに割り当てずに、一部の資源ブロックをデータチャネルに割り当ててもよい。
【００９４】
スケジューリング要求チャネルに対する無線資源割当情報は、基地局がブロードキャストチャネルを介して知らせることができる。スケジューリング要求信号は、端末が周期的に送信してもよく、またはイベント駆動（event-driven）で送信してもよい。スケジューリング要求の送信周期は、基地局が端末に知らせることができる。
【００９５】
アップリンクデータ送信に関するスケジューリング要求を介してアップリンクデータを送信する方法は、次の通りである。端末は、基地局からスケジューリング要求チャネルに対する無線資源割当情報を受信する。スケジューリング要求チャネルは、アップリンク制御チャネルであって、基地局と端末との間にまだ同期化が行われる前に使われるランダムアクセスチャネルと異なる。端末は、無線資源割当情報を介してスケジューリング要求チャネルを構成し、スケジューリング要求チャネル上でスケジューリング要求を基地局に送信する。基地局は、前記スケジューリング要求によって割り当てられたアップリンク無線資源をダウンリンク制御チャネル上で端末に送信する。端末は、前記アップリンク無線資源を介して前記アップリンクデータを送信する。
【００９６】
スケジューリング要求チャネル上でスケジューリング要求を送信する方法は、非コヒーレント検出とコヒーレント検出方式に区分される。しかしながら、実際にスケジューリング要求を検出する方法は多様である。信号が存在するか否かを判断してスケジューリング要求を解析する方式と、変調された信号情報でスケジューリング要求を識別する方式を考慮することができる。
【００９７】
非コヒーレント検出方式は、スケジューリング要求チャネルが送信されるか否かによりスケジューリング要求が存在するか否かを判断する。コヒーレント検出方式では、全ての端末は、スケジューリング要求チャネルが自体に割り当てられると、スケジューリング要求信号を送信する。ＢＰＳＫ（Binary Phase Shift Keying：２相位相）変調を使用する場合、端末は、スケジューリング要求を所望する、または所望しないの１ビット情報を送信できる。ＱＰＳＫ変調を使用する場合、端末は、スケジューリング要求を所望する／所望しないの１ビット情報と追加情報１ビットをさらに送信することができる。このとき、伝達される追加情報は、スケジューリング処理をより容易にするためのバッファの大きさやＱｏＳ（Quality of Service：サービス品質）情報などであってもよい。
【００９８】
コヒーレント検出と非コヒーレント検出を同時に使うこともできる。これを部分コヒーレント検出（partial coherent detection）方式という。全ての端末がスケジューリング要求を無条件に送信するのではなく、スケジューリング要求を所望する端末だけがスケジューリング要求を送信する方式である。スケジューリング要求を送信する端末は、自分が伝達しようとする追加情報を共に送信することができる。スケジューリングが必要でない（即ち、アップリンク送信のための無線資源が必要でない）端末は、スケジューリング要求を送信せずにそのまま無視する。すると、受信機は、まず、信号の存在有無によりスケジューリング要求が存在するか否かを判断する。スケジューリング要求が存在すると、スケジューリング要求があると判断する。送信器でスケジュールリング要求をする場合、追加情報を信号の変調情報として送ることができ、ＢＰＳＫ変調を使用する場合、スケジューリング要求と関連する追加情報を１ビットに載せることができる。ＱＰＳＫ変調を使用する場合、スケジューリング要求と関連する追加情報を２ビットに載せることができる。
【００９９】
本発明はハードウェア、ソフトウェアまたはこれらの組合せにより具現することができる。ハードウェアで具現する場合、前述した機能を遂行するために設計されたＡＳＩＣ（application specific integrated circuit：特定用途向け集積回路）、ＤＳＰ（digital signal processing：デジタルシグナルプロセッサ）、ＰＬＤ（programmable logic device：プログラマブルロジックデバイス）、ＦＰＧＡ（field programmable gate  array：フィールドプログラマブルゲートアレイ）、プロセッサ、制御装置、マイクロプロセッサ、他の電子装置またはこれらの組合せにより具現することができる。ソフトウェアで具現する場合、前述した機能を遂行するモジュールにより具現することができる。ソフトウェアは、メモリユニットに格納されてもよく、プロセッサにより実行される。メモリユニットやプロセッサとして、当業者によく知られた多様な手段を採用してもよい。
【０１００】
以上、本発明の望ましい実施例について詳細に記述したが、本発明が属する技術分野において通常の知識を有する者であれば、添付の請求範囲に定義された本発明の精神及び範囲を外れない限り、本発明を多様に変形または、変更して実施することができることを理解するであろう。例示の実施形態は、説明のためのものにすぎず、限定を目的とするものでないと考慮すべきである。従って、本発明の範囲は、発明の詳細な説明によってではなく特許請求の範囲の記載によって規定され、この範囲内の全ての変形は、本発明に含まれると解釈される。
【図１】
2010525728.tif 000004
【図２】
2010525728.tif 000005
【図３】
2010525728.tif 000006
【図４】
2010525728.tif 000007
【図５】
2010525728.tif 000008
【図６】
2010525728.tif 000009
【図７】
2010525728.tif 000010
【図８】
2010525728.tif 000011
【図９】
2010525728.tif 000012
【図１０】
2010525728.tif 000013
【図１１】
2010525728.tif 000014
【図１２】
2010525728.tif 000015
【図１３】
2010525728.tif 000016
【図１４】
2010525728.tif 000017
【図１５】
2010525728.tif 000018
【図１６】
2010525728.tif 000019
【図１７】
2010525728.tif 000020
【図１８】
2010525728.tif 000021
【図１９】
2010525728.tif 000022
【図２０】
2010525728.tif 000023
【手続補正書】
【提出日】平成21年10月23日(2009.10.23)
【手続補正１】
【補正対象書類名】特許請求の範囲
【補正対象項目名】全文
【補正方法】変更
【補正の内容】
【特許請求の範囲】
【請求項１】
無線通信システムにおいてスケジューリング要求を送信する方法であって、
前記スケジューリング要求を送信するためのアップリンク制御チャネルを構成することであって、前記スケジューリング要求は、二つの連続するスロットで構成されるサブフレームに含まれ、各スロットは、ＯＦＤＭシンボルの第１集合とＯＦＤＭシンボルの第２集合とを含むことと、
前記アップリンク制御チャネル上で前記スケジューリング要求を送信することと、を含み、
前記アップリンク制御チャネルを構成することは、各スロットにおいて前記ＯＦＤＭシンボルに対して、
複数の第１周波数領域シーケンスのうちの一つをＯＦＤＭシンボルの前記第１集合内の各ＯＦＤＭシンボルにマッピングし、マッピングされた周波数領域シーケンスの第１集合を生成することであって、前記複数の第１周波数領域シーケンスの各々は、他の第１周波数領域シーケンスの各々に対して相対的に循環シフトされたものであることと、
複数の第２周波数領域シーケンスのうちの一つをＯＦＤＭシンボルの前記第２集合内の各ＯＦＤＭシンボルにマッピングし、マッピングされた周波数領域シーケンスの第２集合を生成することであって、前記複数の第２周波数領域シーケンスの各々は、他の第２周波数領域シーケンスの各々に対して相対的に循環シフトされたものであることと、
前記マッピングされた周波数領域シーケンスの第１集合を第１直交シーケンスで拡散することであって、前記第１直交シーケンスは、ＯＦＤＭシンボルの前記第１集合内のＯＦＤＭシンボルの数と同じ長さを有することと、
前記マッピングされた周波数領域シーケンスの第２集合を第２直交シーケンスで拡散することであって、前記第２直交シーケンスは、ＯＦＤＭシンボルの前記第２集合内のＯＦＤＭシンボルの数と同じ長さを有することと、を含む方法。
【請求項２】
前記第１直交シーケンスは、時間領域シーケンスであり、
前記マッピングされた周波数領域シーケンスの第１集合を拡散することは、前記第１直交シーケンスの各要素をＯＦＤＭシンボルの前記第１集合内のＯＦＤＭシンボルのうちの対応するＯＦＤＭシンボルに適用することを含む、請求項１に記載の方法。
【請求項３】
前記第１周波数領域シーケンスの長さと前記第２周波数領域シーケンスの長さは、前記ＯＦＤＭシンボルに割り当てられる副搬送波の数と同じである、請求項１に記載の方法。
【請求項４】
ＯＦＤＭシンボルの前記第１集合内のＯＦＤＭシンボルの数は、ＯＦＤＭシンボルの前記第２集合内のＯＦＤＭシンボルの数より大きい、請求項１に記載の方法。
【請求項５】
前記二つの連続するスロットのうち一つのＯＦＤＭシンボルの数は７であり、ＯＦＤＭシンボルの前記第１集合内のＯＦＤＭシンボルの数は４であり、ＯＦＤＭシンボルの前記第２集合内のＯＦＤＭシンボルの数は３である、請求項４に記載の方法。
【請求項６】
ＯＦＤＭシンボルの前記第２集合内のＯＦＤＭシンボルは、連続している、請求項４に記載の方法。
【請求項７】
無線通信システムにおいてスケジューリング要求を送信する方法であって、
複数のＯＦＤＭシンボルを用いて前記スケジューリング要求を送信するためのアップリンク制御チャネルを構成することと、
前記アップリンク制御チャネル上で前記スケジューリング要求を送信することと、を含み、
前記アップリンク制御チャネルを構成することは、
複数の第１周波数領域シーケンスのうちの一つをＯＦＤＭシンボルの第１集合内の各ＯＦＤＭシンボルにマッピングし、マッピングされた周波数領域シーケンスの第１集合を生成することであって、前記複数の第１周波数領域シーケンスの各々は、他の第１周波数領域シーケンスの各々に対して相対的に循環シフトされたものであることと、
複数の第２周波数領域シーケンスのうちの一つをＯＦＤＭシンボルの第２集合内の各ＯＦＤＭシンボルにマッピングし、マッピングされた周波数領域シーケンスの第２集合を生成することであって、前記複数の第２周波数領域シーケンスの各々は、他の第２周波数領域シーケンスの各々に対して相対的に循環シフトされたものであることと、
前記マッピングされた周波数領域シーケンスの第１集合を第１直交シーケンスで拡散することであって、前記第１直交シーケンスは、ＯＦＤＭシンボルの前記第１集合内のＯＦＤＭシンボルの数と同じ長さを有することと、
前記マッピングされた周波数領域シーケンスの第２集合を第２直交シーケンスで拡散することであって、前記第２直交シーケンスは、ＯＦＤＭシンボルの前記第２集合内のＯＦＤＭシンボルの数と同じ長さを有することと、を含む方法。
【請求項８】
前記第１周波数領域シーケンスの長さと前記第２周波数領域シーケンスの長さは、前記ＯＦＤＭシンボルに割り当てられる副搬送波の数と同じである、請求項７に記載の方法。
【請求項９】
ＯＦＤＭシンボルの前記第１集合内のＯＦＤＭシンボルの数は、ＯＦＤＭシンボルの前記第２集合内のＯＦＤＭシンボルの数より大きい、請求項７に記載の方法。
【請求項１０】
ＯＦＤＭシンボルの前記第１集合内のＯＦＤＭシンボルの数は４であり、ＯＦＤＭシンボルの前記第２集合内のＯＦＤＭシンボルの数は３である、請求項９に記載の方法。
【請求項１１】
ＯＦＤＭシンボルの前記第２集合内のＯＦＤＭシンボルは連続している、請求項９に記載の方法。
【請求項１２】
前記第２直交シーケンスは、時間領域シーケンスであり、
前記マッピングされた周波数領域シーケンスの第２集合を拡散することは、前記第２直交シーケンスの各要素をＯＦＤＭシンボルの前記第２集合内のＯＦＤＭシンボルのうちの対応するＯＦＤＭシンボルに適用することを含む、請求項１に記載の方法。
【請求項１３】
前記ＯＦＤＭシンボルは、ＳＣ-ＦＤＭＡシンボルである、請求項１に記載の方法。
【請求項１４】
前記第１直交シーケンスは、時間領域シーケンスであり、
前記マッピングされた周波数領域シーケンスの第１集合を拡散することは、前記第１直交シーケンスの各要素をＯＦＤＭシンボルの前記第１集合内のＯＦＤＭシンボルのうちの対応するＯＦＤＭシンボルに適用することを含む、請求項７に記載の方法。
【請求項１５】
前記第２直交シーケンスは、時間領域シーケンスであり、
前記マッピングされた周波数領域シーケンスの第２集合を拡散することは、前記第２直交シーケンスの各要素をＯＦＤＭシンボルの前記第２集合内のＯＦＤＭシンボルのうちの対応するＯＦＤＭシンボルに適用することを含む、請求項７に記載の方法。
【請求項１６】
前記ＯＦＤＭシンボルは、ＳＣ-ＦＤＭＡシンボルである、請求項７に記載の方法。
【国際調査報告】
2010525728.tif 000024
2010525728.tif 000025